(57)【要約】【課題】光ディスクからのデータの再生可能性を高め得るようにする。【解決手段】光ディスク１００にユーザデータを記録する際、記録領域Ｒを第１記録領域Ｒ１〜第４記録領域Ｒ４に分割し、第１記録領域Ｒ１〜第３記録領域Ｒ３にユーザデータを順次記録すると共に、対応セクタＳＣに記録するユーザデータの排他的論理和を算出してパリティデータを生成し、これを第４記録領域Ｒ４の対応セクタＳＣに記録するパリティ付加記録を行い、当該光ディスク１００からユーザデータを再生する際、ユーザデータを順次読み出し、訂正不可エラーデータがあった場合、エラーセクタＳＣｒと対応する他の分割記録領域のセクタＳＣからユーザデータ又はパリティデータを読み出し、その排他的論理和を算出することによりエラーセクタＳＣｒのユーザデータを復元するパリティ復元再生を行う。【選択図】図１０
2008305510.tif 000002
【特許請求の範囲】
【請求項１】
所定のブロックごとにデータが管理される光ディスクの記録領域を２以上の分割領域に分割してその一部をデータ領域とし、当該光ディスクに記録すべき記録データを上記データ領域の各分割領域にそれぞれ割り当てる記録データ割当部と、
上記データ領域とされた上記分割領域の間で、互いに対応する上記ブロックごとに上記記録データを復元するための冗長データを算出する冗長データ算出部と、
上記データ領域以外の上記分割領域を冗長領域とし、上記データ領域の上記ブロックと対応する当該冗長領域の上記ブロックに上記冗長データをそれぞれ割り当てる冗長データ割当部と、
上記光ディスクの上記データ領域に上記記録データを記録すると共に上記冗長領域に上記冗長データを記録する記録部と
を具えることを特徴とする光ディスク記録装置。
【請求項２】
上記記録データ割当部は、
上記分割領域のデータ記録容量が互いに等しくなるよう上記記録領域を分割する
ことを特徴とする請求項１に記載の光ディスク記録装置。
【請求項３】
上記記録データ割当部は、
上記光ディスクの上記記録領域を２の分割領域に分割してその一方をデータ領域とし、
上記冗長データ算出部は、
上記記録データをそのまま上記冗長データとし、
上記冗長データ割当部は、
他方の上記分割領域を上記冗長領域とし、当該冗長領域の上記ブロックに上記冗長データをそれぞれ割り当てる
ことを特徴とする請求項１に記載の光ディスク記録装置。
【請求項４】
上記記録データ割当手段は、
上記光ディスクの上記記録領域を３以上の分割領域に分割し、
上記冗長データ算出手段は、
上記データ領域とされた上記分割領域の間で、互いに対応する上記ブロックごとに、上記記録データ同士の排他的論理和を算出して上記冗長データとする
ことを特徴とする請求項１に記載の光ディスク記録装置。
【請求項５】
上記分割領域間における上記ブロック同士の対応を、上記ブロックにそれぞれ付与された一意のアドレスを用いて表したブロック対応情報を記憶する記憶部
を具え、
上記冗長データ算出部は、
上記記憶部の上記ブロック対応情報を基に上記互いに対応する上記ブロックを特定し、
上記冗長データ割当部は、
上記記憶部の上記ブロック対応情報を基に上記冗長データを割り当てる上記ブロックを特定する
ことを特徴とする請求項１に記載の光ディスク記録装置。
【請求項６】
上記光ディスクは、上記ブロックが螺旋状又は同心円状に順次配置されると共に、上記記録データの再生順序が最内周側から外周側へ向かい、又は最外周側から内周側へ向かうよう割り当てられ、
上記記録データ割当部は、
上記記録領域を上記記録順序に従い上記２以上の分割領域に順次分割する
ことを特徴とする請求項１に記載の光ディスク記録装置。
【請求項７】
記録データ割当部は、
上記記録データの再生開始点となる最内周又は最外周から、上記分割領域を順次上記データ領域に割り当て、
上記冗長データ割当部は、
上記記録データの再生終了点となる最外周側又は最内周側の上記分割領域を上記冗長領域に割り当てる
ことを特徴とする請求項６に記載の光ディスク記録装置。
【請求項８】
上記記録手段は、
上記データ領域と上記冗長領域との境界に上記記録データの終了点であることを表す記録終了データを記録する
ことを特徴とする請求項７に記載の光ディスク記録装置。
【請求項９】
所定のブロックごとにデータが管理される光ディスクの記録領域を２以上の分割領域に分割してその一部をデータ領域とし、当該光ディスクに記録すべき記録データを上記データ領域の各分割領域にそれぞれ割り当てる記録データ割当ステップと、
上記データ領域とされた上記分割領域の間で、互いに対応する上記ブロックごとに上記記録データに基づく冗長データを算出する冗長データ算出ステップと、
上記データ領域以外の上記分割領域を冗長領域とし、当該冗長領域の上記ブロックに上記冗長データをそれぞれ割り当てる冗長データ割当ステップと、
上記光ディスクの上記データ領域に上記記録データを記録すると共に上記冗長領域に上記冗長データを記録する記録ステップと
を具えることを特徴とする光ディスク記録方法。
【請求項１０】
所定のブロックごとにデータが管理される光ディスクの記録領域を２以上の分割領域に分割してその一部をデータ領域とし、当該光ディスクに記録すべき記録データをデータ領域の各分割領域にそれぞれ割り当てる記録データ割当部と、
上記データ領域とされた上記分割領域の間で、互いに対応する上記ブロックごとに上記記録データに基づく冗長データを算出する冗長データ算出部と、
上記データ領域以外の上記分割領域を冗長領域とし、当該冗長領域の上記ブロックに上記冗長データをそれぞれ割り当てる冗長データ割当部と、
所定の光ディスク記録装置を制御することにより、上記光ディスクの上記記録領域に上記記録データを記録させると共に上記冗長領域に上記冗長データを記録させる記録制御部と
を具えることを特徴とする光ディスク記録制御装置。
【請求項１１】
所定のブロックごとにデータが管理される光ディスクの記録領域を２以上の分割領域に分割してその一部をデータ領域とし、当該光ディスクに記録すべき記録データを各データ領域にそれぞれ割り当てる記録データ割当ステップと、
上記データ領域とされた上記分割領域の間で、互いに対応する上記ブロックごとに上記記録データに基づく冗長データを算出する冗長データ算出ステップと、
上記データ領域以外の上記分割領域を冗長領域とし、当該冗長領域の上記ブロックに上記冗長データをそれぞれ割り当てる冗長データ割当ステップと、
上記記録領域の上記記録データ及び上記冗長領域の上記冗長データを上記光ディスクに記録するよう、所定の光ディスク記録装置を制御する記録制御ステップと
を具えることを特徴とする光ディスク記録制御方法。
【請求項１２】
光ディスクの記録領域を２以上の分割領域に分割したときの一部の分割領域でなるデータ領域から、所定のブロックごとに記録された記録データを読み出すデータ読出部と、
上記データ読出部により上記データが読み出されたか否かを判定する読出判定部と、
上記記録データが読み出されなかったエラーブロックがある場合、上記光ディスクにおける上記データ領域以外の上記分割領域でなる冗長領域のうち上記エラーブロックと対応する上記ブロックから、上記分割領域間で相互に対応する上記ブロックごとに上記データ領域の上記記録データに基づき生成された冗長データを読み出す冗長データ読出部と、
上記エラーブロックに対応する上記データ領域内の上記ブロックから読み出された上記記録データ及び上記冗長データを基に、上記エラーブロックの上記記録データを所定のデータ復元処理により復元するデータ復元処理部と
上記光ディスクから読み出された上記記録データを出力すると共に、上記データ復元処理により復元した復元データを上記エラーブロックの上記記録データとして出力するデータ出力部と
を具えることを特徴とする光ディスク再生装置。
【請求項１３】
上記光ディスクは、上記記録領域が２の分割領域に分割されてそれぞれ上記データ領域及び上記冗長領域とされると共に、当該冗長領域に上記記録領域と同一の上記記録データが記録され、
上記データ復元処理部は、
上記冗長データをそのまま上記記録データとする
ことを特徴とする請求項１２に記載の光ディスク再生装置。
【請求項１４】
上記光ディスクは、上記記録領域が３以上の分割領域に分割され、
上記冗長領域には、上記データ領域の間で互いに対応する上記ブロックごとの上記記録データの排他的論理和が上記冗長データとして記録され、
上記データ復元処理部は、
上記エラーブロックに対応する上記ブロックから読み出された上記記録データ及び上記冗長データの排他的論理和を算出することにより、上記エラーブロックの上記記録データを復元する
ことを特徴とする請求項１２に記載の光ディスク再生装置。
【請求項１５】
光ディスクの記録領域を２以上の分割領域に分割したときの一部の分割領域でなるデータ領域から、所定のブロックごとに記録された記録データを読み出すデータ読出ステップと、
上記データ読出ステップにより上記データが読み出されたか否かを判定する読出判定ステップと、
上記記録データが読み出されなかったエラーブロックがある場合、上記光ディスクにおける上記データ領域以外の上記分割領域でなる冗長領域のうち上記エラーブロックと対応する上記ブロックから、上記分割領域間で相互に対応する上記ブロックごとに上記データ領域の上記データに基づき生成された冗長データを読み出す冗長データ読出ステップと、
上記エラーブロックに対応する上記データ領域内の上記ブロックから読み出された上記記録データ及び上記冗長データを基に、上記エラーブロックの上記記録データを所定のデータ復元処理により復元するデータ復元処理ステップと
上記光ディスクから読み出した上記記録データを出力すると共に、上記データ復元処理により復元した上記データを上記エラーブロックの上記データとして出力するデータ出力ステップと
を具えることを特徴とする光ディスク再生方法。
【請求項１６】
所定の光ディスク装置を制御することにより、光ディスクの記録領域を２以上の分割領域に分割したときの一部の分割領域でなるデータ領域から、所定のブロックごとに記録された記録データを読み出させるデータ読出制御部と、
上記データ読出制御部により上記データが読み出されたか否かを判定する読出判定部と、
上記記録データが読み出されなかったエラーブロックがある場合、上記光ディスク装置を制御することにより、上記光ディスクにおける上記データ領域以外の上記分割領域でなる冗長領域のうち上記エラーブロックと対応する上記ブロックから、上記分割領域間で相互に対応する上記ブロックごとに上記データ領域の上記記録データに基づき生成された冗長データを読み出させる冗長データ読出制御部と、
上記エラーブロックと対応する上記データ領域内の上記ブロックから読み出された上記記録データ及び上記冗長データを基に、上記エラーブロックの上記記録データを所定のデータ復元処理により復元するデータ復元処理部と
上記光ディスクから正常に読み出された上記記録データを出力すると共に、上記データ復元処理により復元した復元データを上記エラーブロックの上記記録データとして出力するデータ出力部と
を具えることを特徴とする光ディスク再生制御装置。
【請求項１７】
所定の光ディスク装置を制御することにより、光ディスクの記録領域を２以上の分割領域に分割したときの一部の分割領域でなるデータ領域から、所定のブロックごとに記録された記録データを読み出させるデータ読出制御ステップと、
上記データ読出制御ステップにより上記記録データが読み出されたか否かを判定する読出判定ステップと、
上記記録データが読み出されなかったエラーブロックがある場合、上記光ディスク装置を制御することにより、上記光ディスクにおける上記データ領域以外の上記分割領域でなる冗長領域のうち上記エラーブロックと対応する上記ブロックから、上記分割領域間で相互に対応する上記ブロックごとに上記データ領域の上記記録データに基づき生成された冗長データを読み出させる冗長データ読出制御ステップと、
上記エラーブロックと対応する上記データ領域内の上記ブロックから読み出された上記記録データ及び上記冗長データを基に、上記エラーブロックの上記記録データを所定のデータ復元処理により復元するデータ復元処理ステップと
を具えることを特徴とする光ディスク再生制御方法。
【請求項１８】
記録領域が２以上の分割領域に分割され、一部の上記分割領域がデータ領域とされて所定のブロックごとに記録データが順次記録されると共に、残りの上記分割領域が冗長領域とされ、上記データ領域とされた上記分割領域の間で互いに対応する上記ブロックの上記記録データを基に算出された冗長データが、上記記録データと対応付けられ、上記互いに対応する上記ブロックに対応付けてそれぞれ記録される
ことを特徴とする光ディスク。
【発明の詳細な説明】
【技術分野】
【０００１】
本発明は、光ディスク記録装置及びデータ記録方法、光ディスク記録制御装置及びデータ記録制御方法、光ディスク再生装置及びデータ再生方法、光ディスク再生制御装置及びデータ再生制御方法並びに光ディスクに関し、例えば光ディスク装置に適用して好適なものである。
【背景技術】
【０００２】
従来、光ディスク装置においては、ＣＤ（Compactb Disc）やＤＶＤ（Digital Versatile Disc）、或いはＢＤ（Blu-ray Disc、登録商標）等の光ディスクに対し、音楽データや映像データ、或いはコンピュータ等で利用される種々のデータを記録し、また再生し得るようになされたものが広く普及している。
【０００３】
また、光ディスク装置における情報の記録速度及び再生速度、すなわちデータ転送速度を向上させると共に冗長性を高めるべく、複数の記録層を有する光ディスクに対し、複数台のハードディスクドライブにより構成するＲＡＩＤ（Redundant Arrays of Inexpensive Disks）と同様データを分散してデータを記録し、また再生するようになされたものが提案されている（例えば、特許文献１参照）。
【０００４】
この光ディスク装置では、各記録層をＲＡＩＤにおける１台のハードディスクドライブと同様に扱い、各記録層のうち光ディスクの厚さ方向に同一となる箇所に対して、データ及び冗長性を持たせた情報信号（以下、これを冗長情報と呼ぶ）を記録し、また再生するようになされている。
【特許文献１】特開２００４−３４２２０４公報（第１０図）
【発明の開示】
【発明が解決しようとする課題】
【０００５】
ところで光ディスク装置では、一般に、ユーザにより所望の光ディスクに交換された上で、各種データ等の記録又は再生を行うことを前提としている。このため光ディスクは、実際にユーザに取り扱われる際に、その表面に傷が付き、或いは埃等の異物が付着する可能性がある。以下、このような状態を「ディフェクトを有する」と呼ぶ。
【０００６】
特に上述した光ディスク装置では、光ディスクの厚さ方向に重なるような位置に、データ及び冗長情報の双方を記録しているため、ディフェクトがある場合、当該ディフェクトの奥にある、互いに対応するデータ及び冗長情報の双方を再生することができない。
【０００７】
このとき光ディスク装置は、ディフェクトの位置に記録されているデータについては、冗長情報を活かした復元処理を行うことができず、再生することができないという問題があった。
【０００８】
本発明は以上の点を考慮してなされたもので、再生可能性を高め得るようなデータを光ディスクに記録し得る光ディスク記録装置及び光ディスク記録方法並びに光ディスク記録制御装置及び光ディスク記録制御方法、光ディスクからのデータの再生可能性を高め得る光ディスク再生装置及び光ディスク再生方法並びに光ディスク再生制御装置及び光ディスク再生制御方法、データの再生可能性を高め得る光ディスクを提案しようとするものである。
【課題を解決するための手段】
【０００９】
かかる課題を解決するため本発明の光ディスク記録装置及びデータ記録方法においては、所定のブロックごとにデータが管理される光ディスクの記録領域を２以上の分割領域に分割してその一部をデータ領域とし、当該光ディスクに記録すべき記録データをデータ領域の各分割領域にそれぞれ割り当て、データ領域とされた分割領域の間で、互いに対応するブロックごとに記録データに基づく冗長データを算出し、データ領域以外の分割領域を冗長領域とし、当該冗長領域のブロックに冗長データをそれぞれ割り当て、記録領域の記録データ及び冗長領域の冗長データを光ディスクに記録するようにした。
【００１０】
これにより、光ディスクから記録データが再生される際、データ領域の記録データが読み出せなかったときに、冗長領域の対応するブロックから冗長データを読み出させ記録データを復元させることができる。
【００１１】
また本発明の光ディスク記録制御装置及びデータ記録制御方法においては、所定のブロックごとにデータが管理される光ディスクの記録領域を２以上の分割領域に分割してその一部をデータ領域とし、当該光ディスクに記録すべき記録データをデータ領域の各分割領域にそれぞれ割り当て、上記データ領域とされた上記分割領域の間で、互いに対応する上記ブロックごとに上記記録データに基づく冗長データを算出し、上記データ領域以外の上記分割領域を冗長領域とし、当該冗長領域の上記ブロックに上記冗長データをそれぞれ割り当て、所定の光ディスク記録装置を制御することにより、上記光ディスクの上記記録領域に上記記録データを記録させると共に上記冗長領域に上記冗長データを記録させるようにした。
【００１２】
これにより、光ディスクから記録データが再生される際、データ領域の記録データが読み出せなかったときに、冗長領域の対応するブロックから冗長データを読み出させ記録データを復元させることができる。
【００１３】
さらに本発明の光ディスク再生装置及びデータ再生方法においては、光ディスクの記録領域を２以上の分割領域に分割したときの一部の分割領域でなるデータ領域から、所定のブロックごとに記録された記録データを読み出し、上記データが読み出されたか否かを判定し、上記記録データが読み出されなかったエラーブロックがある場合、上記光ディスクにおける上記データ領域以外の上記分割領域でなる冗長領域のうち上記エラーブロックと対応する上記ブロックから、上記分割領域間で相互に対応する上記ブロックごとに上記データ領域の上記記録データに基づき生成された冗長データを読み出し、上記エラーブロックに対応する上記データ領域内の上記ブロックから読み出された上記記録データ及び上記冗長データを基に、上記エラーブロックの上記記録データを所定のデータ復元処理により復元し、上記光ディスクから読み出された上記記録データを出力すると共に、上記データ復元処理により復元した復元データを上記エラーブロックの上記記録データとして出力するようにした。
【００１４】
これにより、データ領域の記録データが読み出せなかったとしても、データ領域内の対応する他のブロックの記録データ及び冗長領域の対応するブロックの冗長データを用いたデータ復元処理により、記録データを復元することができる。
【００１５】
さらに本発明の光ディスク再生制御装置及びデータ再生制御方法においては、所定の光ディスク装置を制御することにより、光ディスクの記録領域を２以上の分割領域に分割したときの一部の分割領域でなるデータ領域から、所定のブロックごとに記録された記録データを読み出させ、上記データ読出制御部により上記データが読み出されたか否かを判定し、上記記録データが読み出されなかったエラーブロックがある場合、上記光ディスク装置を制御することにより、上記光ディスクにおける上記データ領域以外の上記分割領域でなる冗長領域のうち上記エラーブロックと対応する上記ブロックから、上記分割領域間で相互に対応する上記ブロックごとに上記データ領域の上記記録データに基づき生成された冗長データを読み出させ、上記エラーブロックと対応する上記データ領域内の上記ブロックから読み出された上記記録データ及び上記冗長データを基に、上記エラーブロックの上記記録データを所定のデータ復元処理により復元し、上記光ディスクから正常に読み出された上記記録データを出力すると共に、上記データ復元処理により復元した復元データを上記エラーブロックの上記記録データとして出力するようにした。
【００１６】
これにより、データ領域の記録データが読み出せなかったとしても、データ領域内の対応する他のブロックの記録データ及び冗長領域の対応するブロックの冗長データを用いたデータ復元処理により、記録データを復元することができる。
【００１７】
さらに本発明の光ディスクにおいては、記録領域が２以上の分割領域に分割され、一部の上記分割領域がデータ領域とされて所定のブロックごとに記録データが順次記録されると共に、残りの上記分割領域が冗長領域とされ、上記データ領域とされた上記分割領域の間で互いに対応する上記ブロックの上記記録データを基に算出された冗長データが、上記記録データと対応付けられ、上記互いに対応する上記ブロックに対応付けてそれぞれ記録されるようにした。
【００１８】
これにより、再生される際、データ領域の記録データが読み出されなかったとしても、データ領域内の対応する他のブロックの記録データ及び冗長領域の対応するブロックの冗長データを用いたデータ復元処理により、記録データを復元させることができる。
【発明の効果】
【００１９】
本発明によれば、光ディスクから記録データが再生される際、データ領域の記録データが読み出せなかったときに、冗長領域の対応するブロックから冗長データを読み出させ記録データを復元させることができ、かくして再生可能性を高め得るようなデータを光ディスクに記録し得る光ディスク記録装置及び光ディスク記録方法並びに光ディスク記録制御装置及び光ディスク記録制御方法を実現できる。
【００２０】
また本発明によれば、データ領域の記録データが読み出せなかったとしても、データ領域内の対応する他のブロックの記録データ及び冗長領域の対応するブロックの冗長データを用いたデータ復元処理により、記録データを復元することができ、かくして光ディスクからのデータの再生可能性を高め得る光ディスク再生装置及び光ディスク再生方法並びに光ディスク再生制御装置及び光ディスク再生制御方法を実現できる。
【００２１】
さらに本発明によれば、再生される際、データ領域の記録データが読み出されなかったとしても、データ領域内の対応する他のブロックの記録データ及び冗長領域の対応するブロックの冗長データを用いたデータ復元処理により、記録データを復元させることができ、かくしてデータの再生可能性を高め得る光ディスクを実現できる。
【発明を実施するための最良の形態】
【００２２】
以下、図面について、本発明の一実施の形態を詳述する。
【００２３】
（１）第１の実施の形態
（１−１）光ディスク装置の構成
図１に示すように、光ディスク装置１は、ＤＶＤ方式の光ディスク１００に対して光ビームを照射することにより、トラッキング制御及びフォーカス制御を行った上で、情報の記録や再生を行うようになされている。
【００２４】
光ディスク装置１は、制御部２により全体を統括制御するようになされている。制御部２は、内部にＣＰＵ（Central Processing Unit）１１を有すると共に、バス１２を介して当該ＣＰＵ１１、ＲＯＭ（Read Only Memory）１３、ＲＡＭ（Random Access Memory）１４及びインタフェース（I/F）１５が互いに接続されている。
【００２５】
制御部２のＣＰＵ１１は、ＲＯＭ１３から基本プログラムやミラーリング記録プログラム等の各種プログラムを読み出し、これらをＲＡＭ１４に展開することにより、ミラーリング記録処理等の各種処理を実行し、またインタフェース１５を介して外部機器（図示せず）等との間で各種データ等の通信処理を行い得るようになされている。
【００２６】
例えば制御部２は、光ディスク１００が装填された状態で、外部機器等から記録命令、記録情報及び記録アドレス情報を受け付けると、駆動命令及び記録アドレス情報を駆動部３へ供給すると共に、記録データを信号処理部４へ供給する。
【００２７】
因みに、光ディスク１００の記録層１００ｓには、螺旋状又は同心円状のトラックが形成されると共に当該トラックの位置を特定するためのアドレスが適宜割り付けられている。記録アドレス情報は、データを記録又は再生すべきトラック（以下、これを目標トラックと呼ぶ）のアドレスを示す情報である。
【００２８】
駆動部３は、制御部２から供給される駆動命令に従ってスピンドルモータ５を駆動制御することにより光ディスク１００を所定の回転速度で回転させると共に、スレッドモータ６を駆動制御することにより、光ピックアップ７を移動軸に沿って光ディスク１００のトラック方向（すなわち内周方向又は外周方向）における記録アドレス情報に対応した位置へ移動させる。
【００２９】
信号処理部４は、供給された記録データに対して所定の符号化処理や変調処理等の各種信号処理を施すことにより記録信号を生成し、これを光ピックアップ７へ供給する。
【００３０】
光ピックアップ７は、内部のレーザダイオード（図示せず）から波長約７５０［ｎｍ］の赤色レーザ光でなる光ビームを出射させ、開口数が約０．６でなる対物レンズ８により当該光ビームを集光し、光ディスク１００に照射するようになされている。
【００３１】
このとき光ピックアップ７は、駆動部３の制御に基づいて対物レンズ８のフォーカス制御及びトラッキング制御を行うことにより、光ディスク１００の記録層１００ｓに形成されているトラックに光ビームの照射位置を合わせて、信号処理部４からの記録信号に応じてデータを記録するようになされている。
【００３２】
また制御部２は、例えば外部機器からデータ再生命令及び再生すべきデータのアドレスを示す再生アドレス情報を受け付けると、駆動部３に対して駆動命令を供給すると共に、再生処理命令を信号処理部４へ供給する。
【００３３】
駆動部３は、データを記録する場合と同様、スピンドルモータ５を駆動制御することにより光ディスク１００を所定の回転速度で回転させると共に、スレッドモータ６を駆動制御することにより光ピックアップ７を再生アドレス情報に対応した位置へ移動させる。
【００３４】
光ピックアップ７は、駆動部３の制御に基づいてフォーカス制御及びトラッキング制御を行うことにより、光ディスク１００の記録層１００ｓにおける、再生アドレス情報により示されるトラック（すなわち目標トラック）に対して光ビームの照射位置を合わせ、所定光量の光ビームを照射する。このとき光ピックアップ７は、光ディスク１００における記録層１００ｓにより反射されてなる反射光ビームを検出し、その光量に応じた検出信号を信号処理部４へ供給するようになされている。
【００３５】
信号処理部４は、供給された検出信号に対して所定の復調処理や復号化処理等の各種信号処理を施すことにより再生データを生成し、この再生データを制御部２へ供給する。これに応じて制御部２は、この再生データを外部機器へ送出するようになされている。
【００３６】
このように光ディスク装置１は、制御部２によって光ピックアップ７を制御することにより、光ディスク１００の記録層１００ｓにおける目標トラックにデータを記録し、また当該目標トラックからデータを再生するようになされている。
【００３７】
（１−２）光ディスクへのデータの記録
（１−２−１）データの記録原理
光ディスク１００は、ＤＶＤ方式の規格に準拠しており、図２に示すように直径約１２０［ｍｍ］の円盤状に構成されている。光ディスク１００は、直径約１５［ｍｍ］でなる中心孔１００Ｈを有しており、光ディスク装置１（図１）において保持部５Ａにより当該中心孔１００Ｈを介してスピンドルモータ５の出力軸に固定されるようになされている。
【００３８】
光ディスク１００は、図中に斜線で示すような、仮想的な中心１００Ｃから約２４〜５８［ｍｍ］となる領域（以下、これを記録領域Ｒと呼ぶ）にデータが記録され、また当該記録領域Ｒからデータが再生されるようになされている。記録領域Ｒには、螺旋状にトラックが形成されており、当該トラック同士の間隔（いわゆるトラックピッチ）が約０．７４［μｍ］となるように構成されている。
【００３９】
記録領域Ｒには、管理用のデータ等以外の本来記録すべきデータ（いわゆるユーザデータ）が記録されるようになされている。ユーザデータは、記録領域Ｒに記録される際、３２７６８バイトごとにエラー訂正符号の算出及びインターリーブ処理が施され、さらに２０４８バイトごとにセクタＳＣに分割されるようになされており、各セクタＳＣに割り当てられたセクタ番号により管理されるようになされている。
【００４０】
実際上、記録領域Ｒでは、最内周にある先頭セクタＳＣｓに０ｘ３００００番地（１６進表記、以下同じ）が割り当てられ、最外周にある末尾セクタＳＣｅに０ｘ２５ＦＤＢＦ番地が割り当てられている。因みに、先頭セクタＳＣｓから末尾セクタＳＣｅまでは、１０進数で２２９３１８４個のセクタＳＣが存在することになり、１セクタの容量が２０４８バイトであるため、光ディスク１００全体としては、２２９３１８４×２０４８＝４６９６４４０８３２バイト、すなわち約４．７ギガバイトの容量となる。
【００４１】
さらに第１の実施の形態では、図２と対応する図３に示すように、光ディスク１００の記録領域Ｒが第１記録領域Ｒ１及び第２記録領域Ｒ２に２分割されている。第１記録領域Ｒ１及び第２記録領域Ｒ２は、それぞれの記録容量が等しくなるように分割されており、当該第１記録領域Ｒ１及び当該第２記録領域Ｒ２の境界部分は、光ディスク１００の中心１００Ｃから約４４．４［ｍｍ］となっている。
【００４２】
光ディスク装置１は、第１記録領域Ｒ１にユーザデータを記録し、第２記録領域Ｒ２にユーザデータと同一のコピーデータを記録するようになされている。このとき光ディスク装置１は、図４に示すように、各セクタＳＣのアドレス順に第１記録領域Ｒ１の各セクタＳＣと第２記録領域Ｒ２の各セクタＳＣとを対応付け、対応するセクタＳＣ同士に同一のデータを記録するようになされている。
【００４３】
実際上、制御部２のＲＯＭ１３には、第１記録領域Ｒ１における各セクタＳＣのアドレスと第２記録領域Ｒ２における各セクタＳＣのアドレスとの対応関係をテーブル化したセクタ対応テーブルＴＳが記録されている。
【００４４】
光ディスク装置１は、セクタ対応テーブルＴＳを参照し、０ｘ１４７ＥＥ０番地のセクタＳＣには、０ｘ３００００番地のセクタＳＣと同一のデータを記録し、０ｘ１４７ＥＥ１番地のセクタＳＣには、０ｘ３０００１番地のセクタＳＣと同一のデータを記録する。
【００４５】
かくして光ディスク装置１は、第１記録領域Ｒ１と第２記録領域Ｒ２とをそれぞれ独立した記録領域とみなし、双方の記録領域に同一のデータを記録する、いわゆるミラーリング記録（ＲＡＩＤ１とも呼ばれる）を行うようになされている。
【００４６】
実際上、光ディスク装置１の制御部２（図１）は、光ディスク１００に記録すべきデータ（すなわちユーザデータ）が外部装置から順次供給されると、このユーザデータを第１記録領域Ｒ１の先頭セクタＳＣｓ（図２）から順次記録すると共に、ＲＡＭ１４に順次記憶していく。
【００４７】
制御部２は、第１記録領域Ｒ１にユーザデータを記録し終えると、続いてＲＡＭ１４からユーザデータを順次読み出し、これをコピーデータとして第２記録領域Ｒ２に順次記録していく。
【００４８】
この結果、光ディスク装置１は、光ディスク１００の第１記録領域Ｒ１にユーザデータを記録し、第２記録領域Ｒ２にユーザデータと同一のコピーデータを記録することができる。
【００４９】
因みに光ディスク装置１は、第１記録領域Ｒ１に記録するユーザデータのデータ量が当該第１記録領域Ｒ１の容量に満たない場合であっても、コピーデータを第１記録領域Ｒ１の残りの部分に記録することなく、第２記録領域Ｒ２の先頭のセクタＳＣ（すなわち０ｘ１４７ＥＥ０番地）から記録するようになされている。また光ディスク装置１は、第１記録領域Ｒ１においてユーザデータの末尾部分に、当該ユーザデータの末尾であることを示す末尾データが記録されるようになされている。
【００５０】
（１−２−２）制御部の機能構成
ここで、ミラーリング記録時における制御部２の機能的な構成を図５に示す。制御部２のデータ割当部２Ａは、光ディスク１００に記録すべきユーザデータを外部機器から取得すると、これを記録領域の各セクタＳＣに割り当てると共に、冗長データ算出部２Ｂへ供給する。
【００５１】
冗長データ算出部２Ｂは、ユーザデータを基に冗長データを算出し、これを冗長データ割当部２Ｃへ供給する。なお、第１の実施の形態では、冗長データ算出部２Ｂは、ユーザデータをそのまま冗長データ（コピーデータ）とするようになされている。
【００５２】
冗長データ割当部２Ｃは、対応セクタＳＣの関係を基に冗長データを冗長領域の各セクタＳＣに割り当て、その結果を記録部２Ｄへ供給する。
【００５３】
記録部２Ｄは、供給されたユーザデータ及び冗長データを信号処理部４（図１）へ順次供給することにより、光ディスク１００に記録する。
【００５４】
このように制御部２は、外部機器から供給されるユーザデータを基に冗長データを算出し、これを当該ユーザデータと共に光ディスク１００に記録させることにより、ミラーリング記録を行うようになされている。
【００５５】
（１−２−３）ミラーリング記録処理
光ディスク装置１の制御部２は、図６に示すフローチャートに従ってミラーリング記録を行うようになされている。すなわち制御部２のＣＰＵ１１は、外部機器（図示せず）からユーザデータの記録指示を受け付けると、ミラーリング記録処理手順ＲＴ１を開始し、ステップＳＰ１へ移る。
【００５６】
ステップＳＰ１において制御部２のＣＰＵ１１は、インタフェース１５を介して外部機器からユーザデータを順次取得し、次のステップＳＰ２へ移る。
【００５７】
ステップＳＰ２において制御部２のＣＰＵ１１は、駆動部３及び信号処理部４を介して光ピックアップ７によりユーザデータを光ディスク１００の第１記録領域Ｒ１に順次記録し、次のステップＳＰ３へ移る。ステップＳＰ３において制御部２のＣＰＵ１１は、ＲＡＭ１４にユーザデータを記憶させ、次のステップＳＰ４へ移る。
【００５８】
ステップＳＰ４において制御部２のＣＰＵ１１は、全てのユーザデータを第１記録領域Ｒ１に記録したか否かを判定する。ここで否定結果が得られると、制御部２のＣＰＵ１１は、再度ステップＳＰ１へ戻りステップＳＰ１〜ＳＰ３の処理を繰り返す。
【００５９】
一方、ステップＳＰ４において肯定結果が得られると、このことは第１記録領域Ｒ１に全てのユーザデータを記録し終えたことを表しており、このとき制御部２のＣＰＵ１１は、第２記録領域Ｒ２にコピーデータを記録するべく、次のステップＳＰ５へ移る。
【００６０】
ステップＳＰ５において制御部２のＣＰＵ１１は、ＲＡＭ１４からユーザデータを順次読み出し、次のステップＳＰ６へ移る。ステップＳＰ６において制御部２のＣＰＵ１１は、セクタ対応テーブルＴＳを参照しながら、光ディスク１００の第２記録領域Ｒ２にユーザデータをコピーデータとして順次記録し、次のステップＳＰ７へ移る。
【００６１】
ステップＳＰ７において制御部２のＣＰＵ１１は、全てのコピーデータを第２記録領域Ｒ２に記録したか否かを判定する。ここで否定結果が得られると、制御部２のＣＰＵ１１は、再度ステップＳＰ１へ戻りステップＳＰ５〜ＳＰ６の処理を繰り返す。
【００６２】
一方、ステップＳＰ７において肯定結果が得られると、このことは第２記録領域Ｒ２に全てのコピーデータを記録し終えたことを表しており、このとき制御部２のＣＰＵ１１は、次のステップＳＰ８へ移ってミラーリング記録処理手順ＲＴ１を終了する。
【００６３】
（１−３）光ディスクからのデータの再生
（１−３−１）データの再生原理
光ディスク装置１の制御部２は、ミラーリング記録された光ディスク１００を再生する場合、通常の光ディスク１００を再生する場合と同様、ユーザデータを先頭セクタＳＣｓ（図２）から、すなわち第１記録領域Ｒ１の０ｘ３００００番地から順次読み出す。
【００６４】
ところで光ディスク１００は、塵や埃等が付着し、或いは表面に傷が付いている（すなわちディフェクトを有している）可能性がある。このため、光ディスク１００から読み出されたユーザデータには、このディフェクト等に起因したエラーが含まれている可能性がある。
【００６５】
そこで制御部２は、３２７６８バイトごとに記録されているエラー訂正符号を基に、全てのユーザデータについて所定のエラー訂正処理を行い、エラーの有無を判定すると共に訂正可能なエラーについては訂正を行う。そのうえで制御部２は、誤り訂正処理によりエラーを訂正しきれなかったデータ（以下、これを訂正不可エラーデータと呼ぶ）があるか否かを判定する。
【００６６】
制御部２は、訂正不可エラーデータがある場合、当該エラーデータ記録されているセクタＳＣ（以下、これをエラーセクタＳＣｒと呼ぶ）のアドレスを認識し、エラーセクタＳＣｒと対応付けられている第２記録領域Ｒ２のセクタＳＣ（すなわち対応セクタ）からコピーデータを読み出し、これをユーザデータとする。
【００６７】
このように制御部２は、ミラーリング記録された光ディスク１００からユーザデータを再生する場合、第１記録領域Ｒ１に記録されたユーザデータのうち正しく読み出し得なかったエラーセクタＳＣｒのデータについて、当該エラーセクタＳＣｒと対応する第２記録領域Ｒ２のセクタＳＣからコピーデータを読み出してユーザデータとすることにより、当該ユーザデータの読み出し性能を向上させるようになされている。以下、このようにデータを再生することをミラーリング再生と呼ぶ。
【００６８】
（１−３−２）制御部の機能構成
ここで、ミラーリング再生時における制御部２の機能的な構成を図７に示す。制御部２のデータ読出部２Ｊは、外部機器からの指示に従い、光ディスク１００からユーザデータを読み出し、これを読出判定部２Ｋへ供給する。
【００６９】
読出判定部２Ｋは、ユーザデータを正常に読み出せたか否かを判定し、正常に読み出せた場合には当該ユーザデータをデータ生成部２Ｎへ供給する一方、正常に読み出せなかった場合には、そのアドレスを冗長データ読出部２Ｌへ供給する。
【００７０】
冗長データ読出部２Ｌは、他の分割記録領域の対応セクタＳＣからユーザデータを読み出すと共に冗長領域から冗長データを読み出し、これらをデータ復元部２Ｍへ供給する。
【００７１】
データ復元部２Ｍは、供給されたユーザデータ及び冗長データを基に所定のデータ復元処理を行うことによりユーザデータを復元し、これをデータ生成部２Ｎへ供給する。因みに第１の実施の形態では、冗長データ（コピーデータ）をそのままユーザデータとする。
【００７２】
データ生成部２Ｎは、正常に読み出せたユーザデータ及び復元されたユーザデータをアドレスに従って整列することにより最終的なユーザデータを生成し、これを外部機器へ送出する。
【００７３】
このように制御部２は、光ディスク１００からセクタＳＣのデータを正しく読み出せなかった場合、対応セクタのユーザデータ及び冗長データを基にユーザデータを復元することにより、ミラーリング再生を行うようになされている。
【００７４】
（１−３−３）ミラーリング再生処理
実際上、光ディスク装置１の制御部２は、次の図８に示すフローチャートに従ってミラーリング再生を行うようになされている。すなわち制御部２のＣＰＵ１１は、外部機器（図示せず）からユーザデータの再生指示を受け付けると、ミラーリング再生処理手順ＲＴ２を開始し、ステップＳＰ１１へ移る。
【００７５】
ステップＳＰ１１において制御部２のＣＰＵ１１は、駆動部３及び信号処理部４を介して光ピックアップ７を制御することにより、光ディスク１００の第１記録領域Ｒ１からユーザデータを順次読み出し、次のステップＳＰ１２へ移る。
【００７６】
ステップＳＰ１２において制御部２のＣＰＵ１１は、読み出したユーザデータに対して所定のエラー訂正処理を施すことにより、エラー訂正可能なエラーについては訂正を施し、次のステップＳＰ１３へ移る。
【００７７】
ステップＳＰ１３において制御部２のＣＰＵ１１は、エラー訂正処理の結果、訂正不可エラーデータがあるか否かを判定する。ここで肯定結果が得られると、制御部２のＣＰＵ１１は、エラー訂正が不可能であったデータを第２記録領域Ｒ２から読み出すべく、次のステップＳＰ１４へ移る。
【００７８】
ステップＳＰ１４において制御部２のＣＰＵ１１は、セクタ対応テーブルＴＳを基に、第１記録領域Ｒ１から訂正不可エラーデータを読み出したセクタＳＣと対応する、第２記録領域Ｒ２のセクタＳＣ（すなわち対応セクタ）のアドレスを認識し、次のステップＳＰ１５へ移る。
【００７９】
ステップＳＰ１５において制御部２のＣＰＵ１１は、駆動部３及び信号処理部４を介して光ピックアップ７を制御することにより、光ディスク１００の第２記録領域Ｒ２における対応セクタからコピーデータを読み出し、次のステップＳＰ１６へ移る。
【００８０】
ステップＳＰ１６において制御部２のＣＰＵ１１は、第２記録領域Ｒ２から読み出したコピーデータをユーザデータとして、次のステップＳＰ１７へ移る。
【００８１】
一方、ステップＳＰ１３において否定結果が得られると、このことは第１記録領域Ｒ１から読み出したユーザデータをそのまま利用し得ることを表しており、このとき制御部２のＣＰＵ１１は次のステップＳＰ１７へ移る。
【００８２】
ステップＳＰ１７において制御部２のＣＰＵ１１は、ユーザデータを外部機器（図示せず）へ順次出力し、次のステップＳＰ１８へ移る。
【００８３】
ステップＳＰ１８において制御部２のＣＰＵ１１は、全てのユーザデータを読み出したか否かを判定する。ここで否定結果が得られると、制御部２のＣＰＵ１１は、残りのユーザデータについても読み出すべく、ステップＳＰ１１へ戻って一連の処理を繰り返す。
【００８４】
一方、ステップＳＰ１８において肯定結果が得られると、制御部２のＣＰＵ１１は次のステップＳＰ１９へ移り、ミラーリング再生処理手順ＲＴ２を終了する。
【００８５】
（１−４）動作及び効果
以上の構成において光ディスク装置１の制御部２は、光ディスク１００にユーザデータを記録する際、ミラーリング記録として、記録領域Ｒを第１記録領域Ｒ１及び第２記録領域Ｒ２に分割し、セクタ対応テーブルＴＳを基に、互いに対応するセクタＳＣのデータが一致するよう、第１記録領域Ｒ１にユーザデータを記録すると共に、第２記録領域Ｒ２に当該ユーザデータと同一のコピーデータを記録する。
【００８６】
また制御部２は、光ディスク１００からユーザデータを再生する際、ミラーリング再生として、第１記録領域Ｒ１からユーザデータを順次読み出し、エラー訂正処理により訂正しきれない訂正不可エラーデータがあった場合、セクタ対応テーブルＴＳを基に、第２記録領域Ｒ２の対応するセクタＳＣからコピーデータを読み出してユーザデータとする。
【００８７】
従って光ディスク装置１の制御部２は、第１記録領域Ｒ１からユーザデータを正しく読み出せなかったとしても、第２記録領域Ｒ２の対応するセクタからコピーデータを読み出してユーザデータとすることができるので、当該ユーザデータを再生し得る可能性を極めて高めることができる。
【００８８】
この場合、光ディスク装置１は、光ディスク１００にミラーリング記録し、またミラーリング再生することにより、第１記録領域Ｒ１及び第２記録領域Ｒ２における互いに対応するセクタＳＣの双方ともデータを読み出し得なかった場合以外は、当該セクタＳＣのユーザデータを再生することができる。
【００８９】
このことは、通常の手法でユーザデータが記録された光ディスク１００から通常の手法で当該ユーザデータを再生し得ない確率がある値ｒ（但しｒ＜１）であるとした場合、本発明による光ディスク装置１において光ディスク１００からユーザデータを再生し得ない確率を（ｒ＾２）にまで低減し得ることになる。
【００９０】
特に光ディスク装置１は、光ディスク１００の記録面上における互いに異なる箇所に対応セクタＳＣを配置することになるため、例えば複数の信号記録層を有する光ディスクの厚さ方向に重なるように対応セクタＳＣを配置する場合と比較して、ディフェクトにより対応セクタＳＣを両方とも読み出し得なくなる可能性を格段に低減することができる。
【００９１】
また光ディスク装置１は、ミラーリング記録の際、第２記録領域Ｒ２の各セクタＳＣに対し、第１記録領域Ｒ１の対応するセクタＳＣと同一のユーザデータをそのまま記録すれば良いため、例えば第２記録領域Ｒ２の各セクタＳＣに記録すべきデータを所定の演算処理により算出する場合のように処理負荷を増加させることが無い。
【００９２】
これと同様に光ディスク装置１は、ミラーリング再生の際にも、第２記録領域Ｒ２の各セクタＳＣに記録されているコピーデータをそのままユーザデータとすれば良いため、例えばパリティ情報から所定の演算処理により元のデータを生成する場合のように処理負荷を増加させることが無い。
【００９３】
さらに光ディスク装置１によりミラーリング記録された光ディスク１００は、第１記録領域Ｒ１に通常の光ディスク１００と同様のユーザデータが記録されているため、一般的な光ディスク装置においても、当該第１記録領域Ｒ１のユーザデータを再生させることができ、再生互換性を維持することができる。
【００９４】
そのうえ光ディスク装置１は、制御部２のＲＯＭ１３にセクタ対応テーブルＴＳを記憶しているため、例えば光ディスク１００のＴＯＣ（Table of Contents）領域等に当該セクタ対応テーブルＴＳを記録するようにした場合と比較して、ディフェクト等により当該セクタ対応テーブルＴＳを読み出し得ずコピーデータを読み出し得なくなる、といった状況に陥ることを未然に防止できる。
【００９５】
以上の構成によれば、光ディスク装置１の制御部２は、光ディスク１００にユーザデータを記録する際、記録領域Ｒを第１記録領域Ｒ１及び第２記録領域Ｒ２に分割し、互いに対応するセクタＳＣのデータが一致するよう、第１記録領域Ｒ１にユーザデータを記録するミラーリング記録を行うと共に、第２記録領域Ｒ２に当該ユーザデータと同一のコピーデータを記録しておき、当該光ディスク１００からユーザデータを再生する際、第１記録領域Ｒ１からユーザデータを順次読み出し、訂正不可エラーデータがあったときに第２記録領域Ｒ２の対応するセクタＳＣからコピーデータを読み出してユーザデータとするミラーリング再生を行うことにより、ユーザデータを再生し得る可能性を格段に高めることができる。
【００９６】
（２）第２の実施の形態
（２−１）光ディスク装置の構成
図１との対応部分に同一符号を付した図９７に示すように、第２の実施の形態による光ディスク記録再生システム２０は、第１の実施の形態における光ディスク装置１と同様の構成でなる光ディスク装置２２と、当該光ディスク装置２２に対してデータの記録指示や再生指示等を供給する記録再生管理装置２１とにより構成されている。
【００９７】
記録再生管理装置２１は、一般的なコンピュータと同様の構成を有しており、ＣＰＵ３１、ＲＯＭ３２及びＲＡＭ３３がバス３４を介して互いに接続されている制御部３０により全体を統括制御するようになされている。
【００９８】
制御部３０のＣＰＵ３１は、ハードディスクドライブ等でなる記憶部３５又はＲＯＭ３３から基本プログラムやストライピング記録プログラム等の各種プログラムを読み出し、これらをＲＡＭ３３に展開することにより、ストライピング記録処理等の各種処理を実行するようになされている。
【００９９】
また制御部３０は、操作部３６を介してユーザの操作を受け付けると、当該操作に応じて光ディスク１００に対するデータの記録命令や当該光ディスク１００からのデータの再生命令等を生成し、インタフェース３７を介して当該記録命令及び再生命令等を光ディスク装置２２へ供給する。
【０１００】
これに応じて制御部３０は、インタフェース３７を介して、記録処理の完了通知や光ディスク１００から読み出したユーザデータ等を光ディスク装置２２から取得し、当該完了通知に基づいたメッセージや動画像でなるユーザデータの再生画像等を表示部３８に表示させるようになされている。
【０１０１】
一方、光ディスク装置２２は、第１の実施の形態における光ディスク装置１と比較して、制御部２に代えて制御部４２を有している点が異なっているものの、他は同様に構成されている。
【０１０２】
制御部４２は、制御部２のようなミラーリング記録及びミラーリング再生を行うことなく、一般的な光ディスク装置と同様の記録処理及び再生処理を行うようになされている。
【０１０３】
すなわち制御部４２は、記録再生管理装置２１から記録命令、記録情報及び記録アドレス情報を受け付けると、光ディスク１００に対し、記録アドレス情報により指示されたアドレスに記録情報をそのまま記録するようになされている。
【０１０４】
また制御部４２は、記録再生管理装置２１から再生命令及び再生アドレス情報を受け付けると、光ディスク１００から、再生アドレス情報により指示されたアドレスのデータをそのまま読み出すようになされている。
【０１０５】
このように光ディスク記録再生システム２０は、記録再生管理装置２１の制御に基づき、光ディスク装置２２により光ディスク１００にデータを記録し、また当該光ディスク１００からデータを再生するようになされている。
【０１０６】
（２−２）光ディスクへのデータの記録
（２−２−１）データの記録原理
ところで第２の実施の形態では、図２及び図３と対応する図１０に示すように、光ディスク１００の記録領域Ｒが第１記録領域Ｒ１、第２記録領域Ｒ２、第３記録領域Ｒ３及び第４記録領域Ｒ４に４分割されている。
【０１０７】
第１記録領域Ｒ１〜第４記録領域Ｒ４は、それぞれの記録容量が等しくなるように分割されており、当該第１記録領域Ｒ１及び当該第２記録領域Ｒ２の境界部分は光ディスク１００の中心１００Ｃから約３５．７［ｍｍ］となり、当該第２記録領域Ｒ２及び当該第３記録領域Ｒ３の境界部分は光ディスク１００の中心１００Ｃから約４４．４［ｍｍ］となり、当該第３記録領域Ｒ３及び当該第４記録領域Ｒ４の境界部分は光ディスク１００の中心１００Ｃから約５１．６［ｍｍ］となっている。
【０１０８】
また第１記録領域Ｒ１、第２記録領域Ｒ２及び第３記録領域Ｒ３（以下、これをユーザデータ領域と呼ぶ）には、ユーザデータが記録されるようになされており、また第４記録領域Ｒ４（以下、これをパリティデータ領域と呼ぶ）には、ユーザデータを基に生成したパリティデータが記録されるようになされている。
【０１０９】
光ディスク記録再生システム２０記録再生管理装置２１（図９）は、光ディスク１００にデータを記録する際、制御部３０により所定のデータ記録プログラムを実行することにより、記憶部３５に記憶している種々のデータのうち、光ディスク１００に記録すべきデータ（すなわちユーザデータ）をユーザに選択させる。
【０１１０】
このとき制御部３０は、事前準備として、ユーザデータを光ディスク１００におけるユーザデータ領域の各セクタＳＣに割り当てると共に、当該ユーザデータ領域において互いに対応するセクタＳＣに割り当てたユーザデータの排他的論理和を算出し、これをパリティデータ領域における対応するセクタＳＣのパリティデータとして割り当てることにより、記録イメージを作成する。
【０１１１】
具体的に光ディスク記録再生システム２０は、図４と対応する図１１に示すように、各セクタＳＣのアドレス順に第１記録領域Ｒ１の各セクタＳＣ、第２記録領域Ｒ２の各セクタＳＣ、第３記録領域Ｒ３の各セクタＳＣ及び第４記録領域Ｒ４の各セクタＳＣを対応付けており、第１記録領域Ｒ１〜第４記録領域Ｒ４における各セクタＳＣのアドレスの対応関係をテーブル化したセクタ対応テーブルＴＳを記録再生管理装置２１のＲＯＭ３２に格納するようになされている。
【０１１２】
光ディスク記録再生システム２０は、互いに対応する第１記録領域Ｒ１〜第３記録領域Ｒ３のセクタＳＣに記録するユーザデータの排他的論理和（図中、演算記号「＄」で示す）を１バイトごとに算出することによりパリティデータを生成し、これを第４記録領域Ｒ４のセクタＳＣに記録するようになされている。
【０１１３】
例えば光ディスク記録再生システム２０は、第１記録領域Ｒ１の０ｘ３００００番地におけるセクタＳＣのユーザデータ、第２記録領域Ｒ２の０ｘＢＢＦ７０番地におけるセクタＳＣのユーザデータ及び第３記録領域Ｒ３の０ｘ１４７ＥＥ０番地におけるセクタＳＣのユーザデータの排他的論理和をバイト単位で算出し、これを第４記録領域Ｒ４の０ｘ１Ｄ３Ｅ５０番地におけるセクタＳＣのパリティデータとする。
【０１１４】
その後制御部３０は、記録イメージの各データを光ディスク装置２２へ順次供給することにより、各データを第１記録領域Ｒ１の先頭セクタＳＣｓ（図２）から順次記録させていく。
【０１１５】
この結果、制御部３０は、光ディスク１００の第１記録領域Ｒ１〜第３記録領域Ｒ３にユーザデータを記録すると共に、第４記録領域Ｒ４に互いに対応するセクタＳＣごとのパリティデータを記録することができる。
【０１１６】
かくして光ディスク記録再生システム２０は、第１記録領域Ｒ１、第２記録領域Ｒ２、第３記録領域Ｒ３及び第４記録領域Ｒ４をそれぞれ独立した記録領域とみなし、ユーザデータ領域の各セクタＳＣにユーザデータを記録すると共に、当該ユーザデータ領域の互いに対応する各セクタＳＣに記録すべきユーザデータの排他的論理和を算出してパリティデータとし、これをパリティデータ領域の対応するセクタＳＣに記録するようになされている（以下、これをパリティ付加記録と呼ぶ）。これは、複数台のハードディスクドライブを用いたＲＡＩＤ３又はＲＡＩＤ４に一部類似する記録手法と見なすこともできる。
【０１１７】
（２−２−２）制御部の機能構成
ここで、パリティ付加記録時における制御部３０の機能的な構成を、図５と対応する図１２に示す。制御部３０のデータ割当部３０Ａは、記憶部３５に記憶しているデータから光ディスク１００に記録すべきユーザデータを選択させると、これを記録領域の各セクタＳＣに割り当てると共に、冗長データ算出部３０Ｂへ供給する。
【０１１８】
冗長データ算出部３０Ｂは、ユーザデータを基に冗長データを算出し、これを冗長データ割当部３０Ｃへ供給する。なお、第２の実施の形態では、第１の実施の形態と異なり、冗長データ算出部２Ｂは、対応セクタＳＣにおける各ユーザデータの排他的論理和を算出して冗長データ（パリティデータ）とするようになされている。
【０１１９】
冗長データ割当部３０Ｃは、対応セクタＳＣの対応関係を基に冗長データを冗長領域の各セクタＳＣに割り当て、その結果を記録制御部３０Ｄへ供給する。
【０１２０】
記録制御部３０Ｄは、供給されたユーザデータ及び冗長データを光ディスク装置２２（図９）へ順次供給することにより、光ディスク１００に記録させる。
【０１２１】
このように制御部３０は、選択されたユーザデータを基に冗長データを算出し、これを当該ユーザデータと共に光ディスク装置２２へ供給して光ディスク１００に記録させることにより、パリティ付加記録を行うようになされている。
【０１２２】
（２−２−３）パリティ付加記録処理
実際上、記録再生管理装置２１の制御部３０は、図１３に示すフローチャートに従ってパリティ付加記録を行うようになされている。すなわち制御部３０のＣＰＵ３１は、ユーザによりユーザデータを記録する操作を受け付けると、パリティ付加記録処理手順ＲＴ３を開始し、ステップＳＰ２１へ移る。
【０１２３】
ステップＳＰ２１において制御部３０のＣＰＵ３１は、光ディスク１００に記録すべきデータをユーザに選択させ、次のステップＳＰ２２へ移る。
【０１２４】
ステップＳＰ２２において制御部３０のＣＰＵ３１は、選択されたデータを第１記録領域Ｒ１〜第３記録領域Ｒ３の各セクタＳＣに割り当ててユーザデータとし、次のステップＳＰ２３へ移る。
【０１２５】
ステップＳＰ２３において制御部３０のＣＰＵ３１は、第１記録領域Ｒ１〜第３記録領域Ｒ３のユーザデータを基に、互いに対応するセクタＳＣごとにパリティデータを算出し、次のステップＳＰ２４へ移る。
【０１２６】
ステップＳＰ２４において制御部３０のＣＰＵ３１は、第１記録領域Ｒ１〜第３記録領域Ｒ３における全てのセクタＳＣについてパリティデータを算出したか否かを判定し、否定結果が得られた場合、ステップＳＰ２３へ戻ることにより残りのパリティデータを算出する。
【０１２７】
一方、ステップＳＰ２４において肯定結果が得られると、制御部３０のＣＰＵ３１は次のステップＳＰ２５へ移る。ステップＳＰ２５において制御部３０のＣＰＵ３１は、算出したパリティデータを、第４記録領域Ｒ４のそれぞれ対応するセクタＳＣに割り当てることにより記録イメージを作成し、次のステップＳＰ２６へ移る。
【０１２８】
ステップＳＰ２６において制御部３０のＣＰＵ３１は、記録イメージのユーザデータ及びパリティデータを順次光ディスク装置２２へ転送することにより、光ディスク１００に順次記録させ、次のステップＳＰ２７へ移る。
【０１２９】
ステップＳＰ２７において制御部３０のＣＰＵ３１は、記録イメージのデータを光ディスク装置２２へ全て転送し終えたか否かを判定する。ここで否定結果が得られた場合、制御部３０のＣＰＵ３１はステップＳＰ２６へ戻り、残りのデータを光ディスク装置２２へ順次転送させる。
【０１３０】
一方、ステップＳＰ２７において肯定結果が得られると、制御部３０のＣＰＵ３１はステップＳＰ２８へ移り、パリティ付加記録処理手順ＲＴ３を終了する。
【０１３１】
（２−３）光ディスクからのデータの再生
（２−３−１）データの再生原理
光ディスク記録再生システム２０の記録再生管理装置２１は、パリティ付加記録された光ディスク１００を再生する場合、通常の光ディスク１００を再生する場合と同様、ユーザデータを先頭セクタＳＣｓ（図２）から、すなわち第１記録領域Ｒ１の０ｘ３００００番地から順次読み出す。
【０１３２】
このとき記録再生管理装置２１の制御部３０は、第１の実施の形態と同様、３２７６８バイトごとに記録されているエラー訂正符号を基に、全てのユーザデータについて所定のエラー訂正処理を行い、エラーの有無を判定すると共に訂正可能なエラーについては訂正を行う。そのうえで制御部３０は、誤り訂正処理によりエラーを訂正しきれなかったデータ（以下、これを訂正不可エラーデータと呼ぶ）があるか否かを判定する。
【０１３３】
制御部３０は、訂正不可エラーデータがある場合、当該エラーデータ記録されているセクタＳＣ（以下、これをエラーセクタＳＣｒと呼ぶ）のアドレスを認識し、エラーセクタＳＣｒと対応付けられている他の分割記録領域のセクタＳＣ（すなわち対応セクタ）からユーザデータ及びパリティデータ（以下、これらを対応正常データと呼ぶ）を読み出す。続いて制御部３０は、対応正常データの排他的論理和を算出することにより、エラーセクタＳＣｒのユーザデータを復元する。
【０１３４】
例えば制御部３０は、第２記録領域Ｒ２の０ｘＢＢＦ７１番地（図１１）のセクタＳＣからユーザデータを正しく読み出せず、当該セクタＳＣがエラーセクタＳＣｒであったとする。このとき制御部３０は、エラーセクタＳＣｒと対応する第１記録領域Ｒ１の０ｘ３０００１番地、第３記録領域Ｒ３の０ｘ１４７ＥＥ１番地及び第４記録領域Ｒ４の０ｘ１Ｄ３Ｅ５１番地の各セクタＳＣからユーザデータ又はパリティデータをそれぞれ読み出して対応正常データとする。
【０１３５】
続いて制御部３０は、対応正常データの排他的論理和を算出することにより、エラーセクタＳＣｒである第２記録領域Ｒ２の０ｘＢＢＦ７１番地のユーザデータを復元する。
【０１３６】
このように制御部３０は、パリティ付加記録された光ディスク１００からユーザデータを再生する場合、ユーザデータ領域に記録されたユーザデータのうち正しく読み出し得なかったエラーセクタＳＣｒについて、当該エラーセクタＳＣｒと対応する他の分割記録領域のセクタＳＣからユーザデータ又はパリティデータを読み出して対応正常データとし、当該対応正常データの排他的論理和を算出してエラーセクタＳＣｒのユーザデータを復元することにより、当該ユーザデータの読み出し性能を向上させるようになされている。以下、このようにデータを再生することをパリティ復元再生と呼ぶ。
【０１３７】
因みに光ディスク１００としては、光ディスク記録再生システム２０の光ディスク装置２２により記録された光ディスクに限らず、例えば他の光ディスク装置により記録された光ディスクや、工場等においてスタンパ等を用いてピット等が形成されることによりデータが記録された、いわゆるＲＯＭ型の光ディスクであっても良い。
【０１３８】
（２−３−２）制御部の機能構成
ここで、パリティ復元再生時における制御部３０の機能的な構成を、図７と対応する図１４に示す。制御部３０のデータ読出制御部３０Ｊは、ユーザの操作指示に従い、光ディスク装置２２により光ディスク１００からユーザデータを読み出させ、これを読出判定部３０Ｋへ供給する。
【０１３９】
読出判定部３０Ｋは、ユーザデータを正常に読み出せたか否かを判定し、正常に読み出せた場合には当該ユーザデータをデータ生成部３０Ｎへ供給する一方、正常に読み出せなかった場合には、そのアドレスを冗長データ読出制御部３０Ｌへ供給する。
【０１４０】
冗長データ読出制御部３０Ｌは、他の分割記録領域の対応セクタＳＣからユーザデータを読み出すと共に冗長領域から冗長データを読み出し、これらをデータ復元部３０Ｍへ供給する。
【０１４１】
データ復元部３０Ｍは、供給されたユーザデータ及び冗長データを基に所定のデータ復元処理を行うことによりユーザデータを復元し、これをデータ生成部３０Ｎへ供給する。因みに第２の実施の形態では、読み出せたユーザデータ及び冗長データ（パリティデータ）の排他的論理和を算出し、これをユーザデータとする。
【０１４２】
データ生成部３０Ｎは、正常に読み出せたユーザデータ及び復元されたユーザデータをアドレスに従って整列することにより最終的なユーザデータを生成し、これを最終的なユーザデータとする。
【０１４３】
このように制御部３０は、光ディスク１００からセクタＳＣのデータを正しく読み出せなかった場合、対応セクタのユーザデータ及び冗長データを基にユーザデータを復元することにより、パリティ復元再生を行うようになされている。
【０１４４】
（２−３−３）パリティ復元再生処理
実際上、記録管理再生装置２１の制御部３０は、図１５に示すフローチャートに従ってパリティ復元読出を行うようになされている。すなわち制御部３０のＣＰＵ３１は、ユーザによりユーザデータを再生する操作を受け付けると、パリティ復元再生処理手順ＲＴ４を開始し、ステップＳＰ３１へ移る。
【０１４５】
ステップＳＰ３１において制御部３０のＣＰＵ３１は、光ディスク装置２２を制御することにより、光ディスク１００の第１記録領域Ｒ１〜第３記録領域Ｒ３からユーザデータを順次読み出し、次のステップＳＰ３２へ移る。
【０１４６】
ステップＳＰ３２において制御部３０のＣＰＵ３１は、読み出したユーザデータに対して所定のエラー訂正処理を施すことにより、エラー訂正可能なエラーについては訂正を施し、次のステップＳＰ３３へ移る。
【０１４７】
ステップＳＰ３３において制御部３０のＣＰＵ３１は、エラー訂正処理の結果、訂正不可エラーデータがあるか否かを判定する。ここで肯定結果が得られると、制御部３０のＣＰＵ３１は、次のステップＳＰ３４へ移る。
【０１４８】
ステップＳＰ３４において制御部３０のＣＰＵ３１は、セクタ対応テーブルＴＳを基に、訂正不可エラーデータを読み出したエラーセクタＳＣｒと対応する、他の分割記録領域のセクタＳＣ（すなわち対応セクタ）のアドレスを認識し、次のステップＳＰ３５へ移る。
【０１４９】
ステップＳＰ３５において制御部３０のＣＰＵ３１は、光ディスク装置２２を制御することにより、光ディスク１００の他の分割記録領域における対応セクタからユーザデータ又はパリティデータ、すなわち対応正常データをそれぞれ読み出し、次のステップＳＰ３６へ移る。
【０１５０】
ステップＳＰ３６において制御部３０のＣＰＵ３１は、他の分割記録領域から読み出した対応正常データの排他的論理和を算出し、これをエラーセクタＳＣｒのユーザデータとして、次のステップＳＰ３７へ移る。
【０１５１】
一方、ステップＳＰ３３において否定結果が得られると、このことは読み出したユーザデータをそのまま利用し得ることを表しており、このとき制御部３０のＣＰＵ３１は次のステップＳＰ３７へ移る。
【０１５２】
ステップＳＰ３７において制御部３０のＣＰＵ３１は、ユーザ領域から読み出したユーザデータ及び復元したユーザデータをアドレス順に整列し、次のステップＳＰ３８へ移る。
【０１５３】
ステップＳＰ３８において制御部３０のＣＰＵ３１は、全てのユーザデータを読み出したか否かを判定する。ここで否定結果が得られると、制御部３０のＣＰＵ３１は、残りのユーザデータについても読み出すべく、ステップＳＰ３１へ戻って一連の処理を繰り返す。
【０１５４】
一方、ステップＳＰ３８において肯定結果が得られると、制御部３０のＣＰＵ３１は次のステップＳＰ３９へ移り、パリティ復元再生処理手順ＲＴ４を終了する。
【０１５５】
（２−４）動作及び効果
以上の構成において、光ディスク記録再生システム２０における記録再生管理装置２１の制御部３０は、光ディスク装置２２により光ディスク１００にユーザデータを記録する際、パリティ付加記録として、記録領域Ｒを第１記録領域Ｒ１〜第４記録領域Ｒ４に分割し、第１記録領域Ｒ１〜第３記録領域Ｒ３にユーザデータを順次記録すると共に、セクタ対応テーブルＴＳを基に、対応セクタＳＣのユーザデータの排他的論理和を算出してパリティデータを生成し、これを第４記録領域Ｒ４の対応セクタＳＣに記録する。
【０１５６】
また制御部３０は、光ディスク装置２２により光ディスク１００からユーザデータを再生する際、パリティ復元再生として、第１記録領域Ｒ１〜第３記録領域Ｒ３からユーザデータを順次読み出し、エラー訂正処理により訂正しきれない訂正不可エラーデータがあった場合、セクタ対応テーブルＴＳを基に、エラーセクタＳＣｒと対応する他の分割記録領域のセクタＳＣからユーザデータ又はパリティデータを読み出して対応正常データとし、当該対応正常データの排他的論理和を算出することによりエラーセクタＳＣｒのユーザデータを復元する。
【０１５７】
従って光ディスク記録再生システム２０は、ユーザデータ領域である第１記録領域Ｒ１〜第３記録領域Ｒ３からユーザデータを正しく読み出せなかったとしても、他の分割記録領域の対応するセクタＳＣから読み出したユーザデータ及びパリティデータを基にユーザデータを復元することができるので、最終的にユーザデータを再生し得る可能性を極めて高めることができる。
【０１５８】
この場合、光ディスク記録再生システム２０は、光ディスク１００にパリティ付加記録を行い、またパリティ復元再生を行うことにより、第１記録領域Ｒ１〜第４記録領域Ｒ４における互いに対応するセクタＳＣのうち２以上のセクタＳＣからデータを読み出し得なかった場合以外は、当該セクタＳＣのユーザデータを再生することができる。
【０１５９】
このとき記録再生管理装置２１の制御部３０は、パリティ付加記録を行う際、対応セクタＳＣのユーザデータを基に比較的容易な排他的論理和を算出するだけでパリティデータを生成でき、またパリティ復元再生を行う場合、対応セクタＳＣのユーザデータ及びパリティデータを基に比較的容易な排他的論理和を算出するだけでユーザデータを復元することができるので、いずれの場合も複雑な演算処理を行う必要がなく、ＣＰＵ３１等の処理負荷を高めることもない。
【０１６０】
また光ディスク記録再生システム２０は、光ディスク１００における全ての記録領域Ｒのうち３／４にあたる第１記録領域Ｒ１〜第３記録領域Ｒ３にユーザデータを記録することができるため、第１の実施の形態よりもユーザデータの記録可能容量を増加させることができる。
【０１６１】
このとき光ディスク記録再生システム２０によりパリティ付加記録された光ディスク１００は、第１記録領域Ｒ１〜第３記録領域Ｒ３に通常の光ディスク１００と同様のユーザデータが記録されているため、第１の実施の形態と同様、一般的な光ディスク装置においても、当該第１記録領域Ｒ１〜第３記録領域Ｒ３のユーザデータを再生させることができ、再生互換性を維持することができる。
【０１６２】
そのうえ光ディスク記録再生システム２０は、パリティ付加記録により、第１の実施の形態と同様、光ディスク１００の記録面上における互いに異なる箇所に対応セクタＳＣをそれぞれ配置することになるため、例えば複数の信号記録層を有する光ディスクの厚さ方向に重なるように対応セクタＳＣを配置する場合と比較して、ディフェクト等により、対応セクタＳＣのうち２以上のセクタＳＣからデータを読み出し得なくなる可能性を格段に低減することができる。
【０１６３】
以上の構成によれば、光ディスク記録再生システム２０は、光ディスク装置２２により光ディスク１００にユーザデータを記録する際、記録領域Ｒを第１記録領域Ｒ１〜第４記録領域Ｒ４に分割し、第１記録領域Ｒ１〜第３記録領域Ｒ３にユーザデータを順次記録すると共に、対応セクタＳＣに記録するユーザデータの排他的論理和を算出してパリティデータを生成し、これを第４記録領域Ｒ４の対応セクタＳＣに記録するパリティ付加記録を行い、当該光ディスク１００からユーザデータを再生する際、第１記録領域Ｒ１〜第３記録領域Ｒ３からユーザデータを順次読み出し、エラー訂正処理により訂正しきれない訂正不可エラーデータがあった場合、エラーセクタＳＣｒと対応する他の分割記録領域のセクタＳＣからユーザデータ又はパリティデータを読み出して対応正常データとし、当該対応正常データの排他的論理和を算出することによりエラーセクタＳＣｒのユーザデータを復元するパリティ復元再生を行うことにより、ユーザデータを再生し得る可能性を格段に高めることができる。
【０１６４】
（３）他の実施の形態
なお上述した第２の実施の形態においては、光ディスク１００の記録領域Ｒを４分割するようにした場合について述べたが、本発明はこれに限らず、３以上の任意の分割数としても良い。この場合、分割数を増加させると、各分割記録領域の容量が小さくなりパリティデータの容量も小さくなるため、ユーザデータの記録容量を増やすことができる。しかしながら、パリティ復元再生を行う際、対応セクタＳＣのうちエラーセクタＳＣｒ以外の全てのセクタＳＣから、すなわち（分割数−１）個のセクタＳＣからデータを正しく読み出し得る必要があるため、データの再生可能性を低下させてしまうことになる。このため、実際には、ユーザデータの記録容量と再生可能性との兼ね合いにより分割数を適宜定めると良い。
【０１６５】
また上述した第２の実施の形態においては、対応セクタＳＣにおける各ユーザデータの排他的論理和を算出することによりパリティデータを算出し、また正常に読み出せたユーザデータ及びパリティデータ（すなわち対応正常データ）の排他的論理和を算出することによりユーザデータを復元するようにした場合について述べたが、本発明はこれに限らず、他の種々の演算手法により冗長データを算出し、またこれに対応した演算手法によりユーザデータを復元するようにしても良い。
【０１６６】
さらに上述した実施の形態においては、光ディスク１００からデータを再生する際、ユーザデータを読み出した際の誤り訂正により訂正しきれないエラーがあったときにコピーデータ又はパリティデータを読み出すようにした場合について述べたが、本発明はこれに限らず、例えば誤り訂正の結果に拘わらず当該コピーデータ又はパリティデータを読み出すことにより、読み出したユーザデータの正当性を常時確認するようにするなどしても良い。
【０１６７】
さらに上述した実施の形態においては、２０４８バイトでなるセクタＳＣ単位で分割記録領域間のデータを対応させるようにした場合について述べたが、本発明はこれに限らず、１つのセクタＳＣを任意のバイト数としても良く、またセクタＳＣ以外の所定バイト数でなるブロック単位で分割記録領域間のデータを対応させるようにしても良い。
【０１６８】
さらに上述した実施の形態においては、３２７６８バイトごとにエラー訂正処理を行うようにした場合について述べたが、本発明はこれに限らず、エラー訂正処理の単位を任意のバイト数とするようにしても良く、或いは上述したようにユーザデータの正当性を常時確認する場合には、エラー訂正処理を特に行わないようにしても良い。
【０１６９】
さらに上述した第１の実施の形態においては、光ディスク装置１の制御部２により光ディスク１００に対するミラーリング記録及びミラーリング再生を制御するようにした場合について述べたが、本発明はこれに限らず、例えば第２の実施の形態における光ディスク記録再生システム２０と同様に、記録再生管理装置２１の制御部３０によって光ディスク装置２２を制御することによりミラーリング記録及びミラーリング再生を行うようにしても良い。
【０１７０】
同様に、第２の実施の形態においても、光ディスク記録再生システム２０における記録再生管理装置２１の制御部３０により光ディスク装置２２を制御してパリティ付加記録及びパリティ復元再生を行うようにする場合について述べたが、本発明はこれに限らず、第１の実施の形態における光ディスク装置１と同様に、制御部２による制御の下で、パリティ付加記録及びパリティ復元再生を行うようにしても良い。
【０１７１】
さらに上述した実施の形態においては、光ディスク１００の分割記録領域のうち、末尾セクタＳＣｅ（図２）が含まれる第２記録領域Ｒ２（図３）又は第４記録領域（図８）に冗長データとしてのコピーデータ又はパリティデータを記録するようにした場合について述べたが、本発明はこれに限らず、例えば光ディスク１００に記録するデータの管理方式等により、データの記録・再生順序が必ずしもセクタＳＣのアドレス番号順とはならないような場合に、末尾セクタＳＣｅが含まれる分割領域以外の分割領域に冗長データを記録するようにしても良く、要は標準的な規格に対応した光ディスク装置において再生する際に冗長データが再生されないように考慮されていれば良い。
【０１７２】
或いは、標準的な規格に対応した光ディスク装置との再生互換性を持たせず、冗長データを任意の分割記録領域に割り当て、光ディスク装置１或いは光ディスク記録再生システム２０のみにより光ディスク１００のユーザデータを再生し得るようにしても良い。
【０１７３】
さらに上述した第１及び第２の実施の形態においては、図４及び図１１に示したように、各分割記録領域における互いのアドレスの差分値が一定となるようなセクタＳＣ同士を組み合わせて対応セクタとするようにした場合について述べたが、本発明はこれに限らず、任意のアドレスのセクタＳＣ同士を組み合わせて対応セクタとしても良く、要はセクタ対応テーブルＴＳを参照することにより当該対応セクタを構成する各セクタＳＣのアドレスを認識し得るようになされていれば良い。
【０１７４】
さらに上述した実施の形態においては、セクタ対応テーブルＴＳを参照して対応セクタのアドレスを認識するようにした場合について述べたが、本発明はこれに限らず、例えば図４及び図１１に示したように、各分割記録領域における互いのアドレスの差分値が一定となるような場合に、差分を算出する数式等を用いて対応セクタＳＣのアドレスを算出するようにしても良い。
【０１７５】
さらに上述した実施の形態においては、光ディスク１００のトラックが螺旋状に形成されるようにした場合について述べたが、本発明はこれに限らず、当該トラックが同心円状に形成されていても良く、要はセクタＳＣをアドレスにより一意に指定し得るようになされていれば良い。
【０１７６】
さらに上述した実施の形態においては、光ディスク１００が片面に記録層を１層のみ有するようにした場合について述べたが、本発明はこれに限らず、例えば記録層を複数有するようにし、或いは光ディスク１００の両面に記録層を有するようにしても良い。この場合、各セクタＳＣをアドレスにより一意に識別し得るようになされていれば良く、特に対応セクタＳＣが互いに上下に重ならないようにすれば、ディフェクトがあるときの再生可能性を高めることができる。
【０１７７】
さらに上述した実施の形態においては、光ディスク装置１及び光ディスク記録再生システム２０のいずれも光ディスク１００に対しユーザデータの記録処理及び再生処理を共に行い得るようにした場合について述べたが、本発明はこれに限らず、記録処理又は再生処理のいずれか一方のみを行うようにしても良い。
【０１７８】
特に第２の実施の形態における光ディスク記録再生システム２０の場合、光ディスク装置２２のように光ビームを照射することにより光ディスク１００にユーザデータを記録する光ディスク装置に限らず、例えばスタンパ等を用いて読み出し専用の光ディスクを大量に製造する光ディスク装置を用いるようにしても良い。
【０１７９】
さらに上述した実施の形態においては、光ディスク１００がＤＶＤ方式に準拠したものである場合について述べたが、本発明はこれに限らず、当該光ディスク１００がＣＤ方式やＢＤ方式等の他の方式に準拠したものであっても良い。またこの場合、読み出し専用型（いわゆるＲＯＭ型）、追記型（いわゆるＲ(Recordable)型）、或いは書き換え型（いわゆるＲＷ(ReWritable)型又はＲＥ型）のいずれであっても良い。
【０１８０】
さらには、光ディスク１００に代えて、光磁気ディスクや磁気ディスク等、光学的、磁気的又はその両方、或いは他の手法により情報が記録され、また再生される１枚のディスク状の記録媒体を用いるようにしても良い。この場合、光ディスク装置１及び光ディスク装置２２の光ピックアップ７に代えて、当該ディスク状の記録媒体に対応した情報書込・読出機能を有する部品が設けられていれば良い。
【０１８１】
さらに上述した実施の形態においては、ミラーリング記録プログラムやパリティ復元再生プログラム等の各種プログラムをＲＯＭ１３又はＲＯＭ３２に格納しておくようにした場合について述べたが、本発明はこれに限らず、各種プログラムを所定のＤＶＤ−ＲＯＭメディアから読み出し不揮発性のフラッシュメモリ（図示せず）等にインストールして実行し、或いは図示しないメモリースティック（ソニー株式会社の登録商標）等のような着脱自在の記憶媒体から読み出して直接実行する等しても良く、さらにはＵＳＢインタフェース（図示せず）や有線ＬＡＮ（Local Area Network）インタフェース、ＩＥＥＥ（Institute of Electrical and Electronics Engineers）８０２．１１ａ／ｂ／ｇ／ｎ等に準拠した無線ＬＡＮインタフェース（図示せず）等を介し各種プログラムを取得して実行するようにしても良い。
【０１８２】
さらに上述した実施の形態においては、記録データ割当部としてのデータ割当部２Ａと、冗長データ算出部としての冗長データ算出部２Ｂと、冗長データ割当部としての冗長データ割当部２Ｃと、記録部としての記録部２Ｄ、駆動部３、信号処理部４及び光ピックアップ７とによって光ディスク記録装置としての光ディスク装置１を構成する場合について述べたが、本発明はこれに限らず、その他種々の回路構成でなる記録データ割当部と、冗長データ算出部と、冗長データ割当部と、記録部とによって光ディスク記録装置を構成するようにしても良い。
【０１８３】
さらに上述した実施の形態においては、データ読出部としてのデータ読出部２Ｊ、駆動部３、信号処理部４及び光ピックアップ７と、読出判定部としての読出判定部２Ｋと、冗長データ読出部としての冗長データ読出部２Ｌ、駆動部３、信号処理部４及び光ピックアップ７と、データ復元処理部としてのデータ復元部２Ｍと、データ出力部としてのデータ生成部２Ｎとによって光ディスク再生装置としての光ディスク装置１を構成する場合について述べたが、本発明はこれに限らず、その他種々の回路構成でなるデータ読出部と、読出判定部と、冗長データ読出部と、データ復元処理部と、データ出力部とによって光ディスク再生装置を構成するようにしても良い。
【０１８４】
さらに上述した実施の形態においては、記録データ割当部としてのデータ割当部３０Ａと、冗長データ算出部としての冗長データ算出部３０Ｂと、冗長データ割当部としての冗長データ割当部３０Ｃと、記録制御部としての記録制御部３０Ｄとによって光ディスク記録制御装置としての記録再生管理装置２１を構成する場合について述べたが、本発明はこれに限らず、その他種々の回路構成でなる記録データ割当部と、冗長データ算出部と、冗長データ割当部と、記録制御部とによって光ディスク記録制御装置を構成するようにしても良い。
【０１８５】
さらに上述した実施の形態においては、データ読出制御部としてのデータ読出制御部３０Ｊと、読出判定部としての読出判定部３０Ｋと、冗長データ読出制御部としての冗長データ読出制御部３０Ｌと、データ復元処理部としてのデータ復元部３０Ｍと、データ出力部としてのデータ生成部３０Ｎとによって光ディスク再生制御装置としての記録再生管理装置２１を構成する場合について述べたが、本発明はこれに限らず、その他種々の回路構成でなるデータ読出制御部と、読出判定部と、冗長データ読出制御部と、データ復元処理部と、データ出力部とによって光ディスク再生制御装置を構成するようにしても良い。
【産業上の利用可能性】
【０１８６】
本発明は、映像データや音声データ、或いはコンピュータで扱う種々のデータ等を種々の方式の光ディスクに記録し、また再生する光ディスク装置でも利用できる。
【図面の簡単な説明】
【０１８７】
【図１】光ディスク装置の全体構成を示す略線図である。
【図２】光ディスクの記録領域を示す略線図である。
【図３】第１の実施の形態における記録領域の分割の説明に供する略線図である。
【図４】第１の実施の形態におけるセクタの対応を示す略線図である。
【図５】ミラーリング記録時における制御部の機能構成を示すブロック図である。
【図６】ミラーリング記録処理手順を示すフローチャートである。
【図７】ミラーリング再生時における制御部の機能構成を示すブロック図である。
【図８】ミラーリング再生処理手順を示す略線図である。
【図９】光ディスク記録再生システムの構成を示す略線図である。
【図１０】第２の実施の形態における記録領域の分割の説明に供する略線図である。
【図１１】第２の実施の形態におけるセクタの対応及びパリティデータの生成を示す略線図である。
【図１２】パリティ付加記録時における制御部の機能構成を示すブロック図である。
【図１３】パリティ付加記録処理手順を示すフローチャートである。
【図１４】パリティ復元再生時における制御部の機能構成を示すブロック図である。
【図１５】パリティ復元再生処理手順を示すフローチャートである。
【符号の説明】
【０１８８】
１、２２……光ディスク装置、２、３０、４２……制御部、２Ａ、３０Ａ……データ割当部、２Ｂ、３０Ｂ……冗長データ算出部、２Ｃ、３０Ｃ……冗長データ割当部、２Ｄ……記録部、３０Ｄ……記録制御部、２Ｊ……データ読出部、３０Ｊ……データ読出制御部、２Ｋ、３０Ｋ……読出判定部、２Ｌ……冗長データ読出部、３０Ｌ……冗長データ読出制御部、２Ｍ、３０Ｍ……データ復元部、２Ｎ、３０Ｎ……データ生成部、３……駆動部、４……信号処理部、７……光ピックアップ、１１、３１……ＣＰＵ、２０……光ディスク記録再生装置、２１……記録再生管理装置、１００……光ディスク、Ｒ……記録領域、Ｒ１……第１記録領域、Ｒ２……第２記録領域、Ｒ３……第３記録領域、Ｒ４……第４記録領域、ＳＣ……セクタ。
【図１】
2008305510.tif 000003
【図２】
2008305510.tif 000004
【図３】
2008305510.tif 000005
【図４】
2008305510.tif 000006
【図５】
2008305510.tif 000007
【図６】
2008305510.tif 000008
【図７】
2008305510.tif 000009
【図８】
2008305510.tif 000010
【図９】
2008305510.tif 000011
【図１０】
2008305510.tif 000012
【図１１】
2008305510.tif 000013
【図１２】
2008305510.tif 000014
【図１３】
2008305510.tif 000015
【図１４】
2008305510.tif 000016
【図１５】
2008305510.tif 000017